(57)【要約】【課題】被膜層を含む表面を有する医療装置の提供。【解決手段】当該被膜層は、哺乳動物血液と相互作用して、凝血又は血栓形成を予防することができる抗凝血実体を含む生体適合性の組成物であり、当該抗凝血実体が、チオエーテルを含むリンカーを介して当該表面に共有結合されている。【選択図】図１
2020108864.tif 000002
【特許請求の範囲】
【請求項１】
チオール又はアルケン基を担持するポリアミン表面を有する固体対象。
【請求項２】
前記チオール又は前記アルケン基が、リンカーを介して、ポリアミン表面のアミノ基に結合されている、請求項１に記載の固体対象。
【請求項３】
医療装置である、請求項１又は２に記載の固体対象。
【請求項４】
哺乳動物血液と相互作用して、凝血又は血栓形成を防止することができるヘパリン部分であって、この抗凝血実体が、アルケン基を有しており、当該アルケン基がリンカーに結合し、当該リンカーが前記ヘパリン部分に末端で結合している、前記ヘパリン部分。
【請求項５】
全長ヘパリンである、請求項４に記載のヘパリン部分。
【請求項６】
チオエーテルを含むリンカーを介して、哺乳動物血液と相互作用して凝血又は血栓形成を防止することができる抗凝血実体を有する官能化ポリアミン。
【発明の詳細な説明】
【技術分野】
【０００１】
本発明は、固定された生物学的実体、かかる実体で被膜された表面及び固体対象、例えば医療装置、並びにそれらの生産のための方法及び中間体に関する。
【背景技術】
【０００２】
医療装置が体内に配置されるか、又は体液と接触した場合、多くの様々な反応が生じ始め、その幾つかは、装置表面と接触した血液の凝固をもたらす。この重大な有害影響に対抗するために、周知の抗凝血化合物であるヘパリンが、医療装置が体内に配置される前に、又は体液と接触される際に、抗血栓効果を提供するために、長期間患者に全身投与されていた。
【０００３】
トロンビンは、幾つかの凝血因子のうちの一つであり、凝血因子は全て、共同して作用して血液と接触した表面に血栓の形成をもたらす。アンチトロンビン（アンチトロンビンIIIとしても知られている）（ＡＴ）は、最も強力な凝血阻害剤である。アンチトロンビンは、トロンビン及び他の凝血因子の作用を中和し、そうして血液凝固を限定又は制限する。ヘパリンは、アンチトロンビンが凝血因子を阻害する割合を劇的に高める。
【０００４】
しかしながら、高用量のヘパリンの全身処理は、出血が顕著に生じるという重大な副作用を伴うことが多い。ヘパリン治療の別の希であるが、重大な合併症は、（動脈及び静脈の）血栓症をもたらしうるヘパリン誘導性血小板減少症と呼ばれるアレルギー応答の発達である。例えば外科手術のあいだにおける高用量の全身ヘパリン処理は、（ヘパリン治療をモニターし、そして指針となるために使用される）活性凝固時間を頻繁にモニタリングし、そして必要に応じて対応する用量の調節を必要とする。
【０００５】
したがって、患者の全身ヘパリン化についての必要性がないか、又はその必要性を制限できる解決方法が探し求められていた。これは、ヘパリンの抗凝血性質を用いて、医療装置の表面を改変することを介して達成できると考えられていた。こうして、ヘパリン層を医療装置の表面に付与して、それにより表面を非血栓形成性にするという、程度の差はあれ成功した多数の技術が開発されている。長期間の生物活性が必要とされる装置では、ヘパリンは、望ましくは浸出や分解に対して抵抗性であるべきである。
【０００６】
ヘパリンは、単糖ユニットに負に荷電した硫酸とカルボン酸基を有する、多糖である。ヘパリンを、ポリカチオン性表面にイオン結合させることが試みられたが、安定性を伴っていない表面改変は、ヘパリンが表面から浸出するにつれて、機能を失ってしまう。
【０００７】
その後、ヘパリンを表面の基に共有結合させた様々な表面改変が製造された。
【０００８】
医療装置に血栓が形成しないようにした最もうまくいった方法のうちの一つは、ヘパリンフラグメントを、装置の改変された表面へと共有結合させることであった。一般的な方法や、その改良方法が、欧州特許EP-B-0085186、EP-B-0086186、EP-B-0495820、及びUS6,461,665に記載されている。
【０００９】
これらの特許は、まず第一に、例えば亜硝酸分解を用いて、ヘパリンの多糖鎖を選択的に切断して、末端アルデヒド基の形成をもたらすことにより、表面改変された基質を製造することを記載する。第二に、１級アミノ基を有する１又は複数の表面改変層を、医療装置の表面へと導入し、その後、多糖鎖のアルデヒド基を、表面改変層のアミノ基と反応させて、中間体Schiff塩基を還元して、安定な第二アミン結合を形成した。
【００１０】
DE19604173は、その表面にヘパリンなどの医薬活性剤が結合するところの置換ビスフェニルモノマーに基づくポリマー表面を伴う医療装置に関する。
【００１１】
WO2008/090555は、医薬活性剤を取り込むポリマーマトリックスで被膜された医療装置に関する。活性剤が、ポリマーマトリックス内に取り込まれているようである。
【００１２】
US2005/0059068は、水酸基及び／又はアミン基を含む物質と共有結合的に反応できる化学活性表面であって、シラン含有試薬を介して固体表面に共有結合される活性型デンドリマーポリアミンを有する固体表面を含み、ここで当該デンドリマーポリアミンが、水酸基及び／又はアミン基を含む物質に共有結合できる化学活性表面に関する。
【００１３】
しかしながら、より容易に操作され、より簡単かつより効率的に生成する（例えばヘパリンを分解しない）温和な条件下で行うことができる表面改変であって、そして／又はヘパリン部分の生物利用能がより高い表面改変についての要求が依然として存在している。
【００１４】
本出願人の以前の出願であるWO 2010/029189は、１，２，３-トリアゾール結合を介して、被膜に共有結合されたヘパリンなどの抗凝血分子による被膜を有する装置に関する。この文献は、ポリアミンのアジド又はアルキン官能基化；アルキン又はアジド官能基化ヘパリンの調製；及び１，２，３-トリアゾール結合を介して、誘導化ヘパリンを、誘導化ポリマーに結合させる反応を記載している。
【発明の概要】
【００１５】
本発明者らは、哺乳動物の血液と相互作用して、凝固又は血栓形成を予防することができる実体、例えばヘパリン、そして特に従来技術の分解されたヘパリンよりは全長のヘパリンを、表面に共有結合させるさらに簡単な方法を発見した。
【００１６】
本発明に従い、本発明者らは、なかでも、外側被膜層を含む表面を有する固体対象であって、当該外側被膜層がポリマーと、哺乳動物血液と相互作用して凝固又は血栓形成を予防できる抗凝血実体（本明細書中で、抗凝血実体という）とを含み、当該抗凝血実体が、チオエーテルを含むリンカーを介して当該ポリマーに共有結合している、前記固体対象を提供する。このような固体対象、特に医療装置は、これにより非血栓形成性になる。
【図面の簡単な説明】
【００１７】
【図１】図１は、実施例１．１から１．３に記載される、腔側が被膜され、そしてトルイジンブルーで染色されたＰＶＣチューブの例の写真を示す。
【発明を実施するための形態】
【００１８】
一般的に、外側被膜層は、多重の抗凝血実体を含んでおり、その各々は、チオエーテルを含むリンカーを介してポリマーに共有結合されている。
【００１９】
抗凝血実体は、当業者に周知であり、そしてその多くはオリゴ糖又は多糖である。当該実体の幾つかは、グルコサミン、ガラクトサミン及び／又はウロン酸を含有する化合物を含むグリコサミノグリカンである。最も適切なグリコサミノグリカンは、「ヘパリン部分（heparin moiety）」であり、そして特に全長のヘパリン（天然ヘパリン）である。
【００２０】
「ヘパリン部分」という用語は、ヘパリン分子、ヘパリン分子のフラグメント、又はヘパリンの誘導体若しくはアナログを指す。ヘパリン誘導体は、ヘパリンの任意の機能的又は構造的変異体であってもよい。代表的な変異体としては、ヘパリンのアルカリ金属又はアルカリ土類金属塩、例えばヘパリンナトリウム（例えばＨｅｐｓａｌ又はＰｕｌａｒｉｎ）、ヘパリンカリウム（例えばＣｌａｒｉｎ）、ヘパリンリチウム、ヘパリンカルシウム（例えば、Ｃａｌｃｉｐａｒｉｎｅ）、ヘパリンマグネシウム（例えば、Ｃｕｔｈｅｐａｒｉｎｅ）、及び低分子量ヘパリン（例えば酸化的脱重合や脱アミン的切断により生産される、例えばアルデパリンナトリウム又はダルテパリン）が挙げられる。他の例としては、ヘパラン硫酸、ヘパリノイド、ヘパリンベースの化合物、及び疎水性の対イオンを有するヘパリンが挙げられる。他の所望される抗凝血実体としては、アンチトロンビンＩＩＩ媒介性の第Ｘａ因子の阻害に関与する「フォンダパリヌクス（fondaparinux）」組成物と呼ばれる合成ヘパリン組成物が挙げられる。さらなるヘパリンの誘導体としては、例えば過ヨウ素酸塩による酸化（ＵＳ６，６５３，４５７）及び本技術分野に知られている他の改変反応により改変されるヘパリン及びヘパリン部分が挙げられる。ヘパリン部分には、以下に記載される様にリンカーやスペーサーに結合されたかかる部分も含まれる。脱硫酸化ヘパリンは、ヘパリンの他の形態に比較して抗血栓性が低いため、他の形態のヘパリンよりも適していない。
【００２１】
適切に、抗凝血実体は、リンカーに対して一点で結合されており、特に末端で結合されている。抗凝血実体が、末端結合性のヘパリン部分である場合、当該部分は、還元末端（還元末端のＣ１位と本明細書中で呼ぶこともある）を介してリンカーに適切に結合されている。末端結合、特に還元末端結合の利点は、抗凝血実体（例えばヘパリン部分）の至る所に生じた結合と比較して、アンチトロンビン相互作用部位の利用能が高いために、抗凝血実体（例えばヘパリン部分）の生物学的活性が、最大になるということである。
【００２２】
多重の抗凝血実体、例えばヘパリン部分が存在する場合、その幾つか又は全てが異なるタイプであることがあるが、一般的にはそれらはすべて同じタイプであろう。
【００２３】
「チオエーテル」という用語は、硫黄と二つの炭素原子とのあいだの結合をいう。この結合は、「スルフィド」と呼ばれることもある。硫黄は、二つの飽和炭素原子と結合されていてもよいし（つまり、-Ｃ-Ｓ-Ｃ-）、又は飽和炭素原子と不飽和炭素原子に結合されていてもよい（つまり、-Ｃ-Ｓ-Ｃ＝）。
【００２４】
「チオール」という用語は、-Ｓ-Ｈ部分を指す。
【００２５】
固体対象は、抗凝血実体を結合させることが望まれる任意の対象であってもよい。１の実施態様では、固体対象は医療装置であるが、他の固体対象、例えば分析装置や分離装置なども意図されている。こうして、他の実施態様では、固体対象は、分析装置か分離装置である。
【００２６】
「医療装置」という用語は、移植可能な装置や非移植性の装置のことを指すが、より一般的には移植可能な医療装置を指す。移植可能な医療装置の例として、カテーテル、ステント、例えば分岐ステント、バルーン膨脹性ステント、自己膨脹性ステント、ステント移植片、例えば分岐ステント移植片、人工血管、血液内在モニター装置（blood indwelling monitoring devices）、人工心臓弁、ペースメーカー電極、ガイドワイヤー、心肺バイパス回路、カニューレ、バルーン、組織パッチ装置（tissue patch devices）及び血液ポンプが挙げられる。さらなる例として、移植片、例えば血管移植片、及び分岐移植片、心臓リード線及びドラッグデリバリー装置が挙げられる。非移植可能医療装置の例は、体外装置、例えば体外血液処理装置、及び輸液装置である。
【００２７】
医療装置は、なかでも、神経、末梢、心臓、整形外科、皮膚及び婦人科の適用を有していてもよい。
【００２８】
分析装置は、例えば、分析的な行程、例えばクロマトグラフィーや免疫学的アッセイ、化学反応又は触媒反応を行うための固体支持体であってもよい。このような装置の例として、スライド、ビーズ、ウェルプレート、膜などが挙げられる。分離装置は、例えば、分離工程、例えばタンパク質精製、アフィニティークロマトグラフィー、又はイオン交換クロマトグラフィーなどを行うための固体支持体であってもよい。このような装置の例として、フィルターやカラムが挙げられる。
【００２９】
医療装置は、多くの被膜層を持ってもよく、そして「外側被膜層」という用語は、装置が患者に移植された場合に患者の組織又は血液と接触する被膜層を指す。こうして、外側被膜層は、中空の装置やオープン構造の装置、例えばステント、の外側表面と内側表面にある被膜層であってもよい。
【００３０】
医療装置のように、分析装置や分離装置も多くの被膜層を有してもよく、そして「外側被膜層」という用語は、分析されるか、分離されるか、又は扱われる物質と接触する被膜層を指す。
【００３１】
最も単純な場合、リンカーは、チオエーテルのみからなる。しかしながら、より一般的に、リンカーは、スペーサーによりポリマー又はヘパリン部分のいずれか、或いはその両方から離れるように、チオエーテルに加えて、少なくとも１のスペーサーを含む。
【００３２】
リンカーのＭｗ（分子量）は、適切に１０2〜１０6Ｄａであり、そしてリンカーの長さは適切に１０〜１０3Åである。適切に、リンカー及び／又はスペーサーは、直鎖であるが、単一のリンカーに対して１より多くの、例えば２〜１００、好ましくは３０〜１００の実体（例えばヘパリン部分）が結合して、そうして幾つかのヘパリン部分側鎖が存在する分岐リンカーを産生することもできる。
【００３３】
幾つかの実施態様では、リンカーは１又は複数の芳香環を含む。別の実施態様では、リンカーは、芳香環を全く含まない。幾つかの実施態様では、リンカーは親水性であり、例えばリンカーはＰＥＧ鎖を含んでもよい。
【００３４】
本発明の１の態様では、リンカーは、複数の部分、例えば２、３、４又は５の部分、より一般的には３、４、又は５の部分から形成されてもよく、ここで各部分は、チオエーテル又はスペーサーを含むか、又はこれらのものからなる。
【００３５】
３の部分のリンカーの一例は、ポリマーとチオエーテルとのあいだの「スペーサーＡ」、チオエーテル自体、及びチオエーテルと抗凝血実体とのあいだの「スペーサーＢ」とを含む。スペーサーＡとＢの分子量は、例えば約１０1〜１０3Ｄａであってもよい。１の実施態様では、スペーサーＡとＢのいずれか、又は両方は、芳香環を含んでもよいし、そして他の実施態様では、スペーサーＡとスペーサーＢのいずれも芳香環を含まない。
【００３６】
このタイプのリンカーでは、スペーサーＡ又はＢのいずれか、又は両方が、親水性スペーサー、例えばＰＥＧ鎖であってもよい。
【００３７】
本明細書において使用される場合、「ＰＥＧ鎖」という用語は、エチレンオキシドの重合により取得されるポリマー鎖、典型的には１０2〜１０6Ｄａの分子量のポリマー鎖を指す。
【００３８】
幾つかの場合、リンカーは、２以上のチオエーテルを含んでもよい。例えば、二機能性のリンカー部分（例えば、各末端にＳＨ基を有する）は、それぞれ各末端で、アルキン／アルケン官能化抗凝血実体及びアルキン／アルケン官能化ポリマーに連結されて、２のチオエーテルを含むリンカーをもたらすことができる。或いは、ビス-アルキン／アルケンリンカーの使用は、各末端でそれぞれチオール官能化抗凝血実体及びチオール官能化ポリマーに連結されて、２のチオエーテルを含むリンカーをもたらすことができる。
【００３９】
２以上のチオエーテルを有するリンカーは、適切に、３、４又は５の部分を含み、ここで上で記載された場合、各部分は、チオエーテル又はスペーサーを含む。
【００４０】
１の実施態様では、リンカーは５の部分、すなわちポリマーと第一チオエーテルとのあいだの「スペーサーＡ」、第一チオエーテル、第一チオエーテルと第二チオエーテルとのあいだの「スペーサーＣ」、第二チオエーテルと抗凝血実体とのあいだの「スペーサーＢ」、を有する。
【００４１】
このような場合、スペーサーＡとＢの分子量は、例えば約１０1〜１０3Ｄａであってもよく、そしてスペーサーＣの分子量は、約１０2〜１０6Ｄａであってもよい。
【００４２】
適切に、スペーサーＡ及び／又はスペーサーＢ及び／又はスペーサーＣの１又は幾つかは、親水性であり、例えばＰＥＧ鎖を含む。
【００４３】
１の実施態様では、ヘパリン部分などの抗凝血実体と、外側被膜のポリマーとのあいだのリンカーは、非分岐リンカーである。別の実施態様では、ヘパリン部分などの抗凝血実体と、外側被膜のポリマーとのあいだのリンカーは、分岐リンカーであり、ここで当該分岐は、ヘパリン部分などの別の抗凝血実体を含む。
【００４４】
リンカーは、生分解性であってもよいし、又は非生物分解性であってもよいが、被膜される固体対象、例えば医療装置、が長期間のあいだ非血栓形成性であるようにするため、非生物分解性であることがより適している。
【００４５】
複数のリンカーが存在する場合、その幾つか又は全てが異なるタイプであることが可能であるが、適切には全てのリンカーが同じタイプである。
【００４６】
１の実施態様では、１より多くの抗凝血実体が、リンカーに結合されている（例えば、１より多くの抗凝血実体が、各リンカーに結合されている）（例えば、実施例１．１を参照のこと）。１の実施態様では、１より多くのリンカーが、抗凝血実体に結合されている（例えば、１より多くのリンカーが、各抗凝血実体に結合されている）（例えば、実施例１．３を参照のこと）。
【００４７】
表面は、固体対象、例えば医療装置、上に被膜層を含んでもよい。固体対象は、ボイド空隙又は孔を含む１又は複数の部分を有していてもよい。孔は、固体対象内に存在してもよいし、及び／又は固体対象の少なくとも１の表面に含まれてもよい。多孔性固体対象の例は、延伸ポリテトラフルオロエチレン（ｅＰＴＦＥ）である。
【００４８】
固体対象は、望ましくは、（非血栓形成性であることが望まれる）表面の一部又は当該対象の表面の全体が被膜されるように、１又は複数の、例えば２又はそれより多くの、つまり３又は４又は５、例えば最大で２０の被膜層を有してもよい（Multilayer Thin Films ISBN:978-3-527-30440-0）。層の最適な数は、対象が作られる材料のタイプ、並びに表面の意図される用途に依存するであろう。所望される場合、表面は、層ごとに形成されてもよい。表面の完全なカバーを提供するために必要とされる層の数及び性質は、当業者により簡単に決定することができる。被膜層は、高い平均分子量のカチオン性ポリマー、例えばポリアミン（例えばＢＡＳＦから利用できるポリアミンとして知られているポリアミン、ＥＰ００８６１８７  Larsson and Golanderを参照のこと）を、固体対象の表面に吸着させ、そして必要に応じて当該ポリアミンを、例えばアルデヒド架橋剤、例えばクロトンアルデヒド及び／又はグルタルアルデヒドで架橋し、続いてアニオン性ポリマー、例えばアニオン性多糖、例えばデキストラン硫酸の溶液を適用して、少なくとも１の、多糖の吸着層を得ることにより形成されてもよい。それゆえ、表面は、高い平均分子量のポリアミンの層、及びアニオン性多糖の層を含んでもよい。より一般的に、カチオン性ポリマー（例えば、ポリアミン）と、アニオン性ポリマー（例えば、アニオン性多糖）との１又は複数の被膜二重層を含んでもよく、最深部は、カチオン性ポリマーの層であり、そして外側の層は、チオエーテルを含むリンカーを介して抗凝血実体が共有結合するカチオン性ポリマーの層である。この被膜方法は、EP-B-0495820に実質的に記載される通りに行われる。こうして、外側被膜層のみが、抗凝血実体を含むようになる。典型的に、抗凝血実体が結合する外側被膜層は、架橋されていない。
【００４９】
EP-B-0495820の方法は、しかしながら、外側層が、アニオン性の多糖であり、当該多糖が、次に抗凝血実体が結合するポリアミンか、又はチオエーテルを含むリンカーを形成できる官能基を有するポリアミンと反応するように改変されてもよい。
【００５０】
第一被膜層を適用する前に、固体対象の表面をきれいにして、接着や表面被覆を改善してもよい。適切な洗浄剤としては、エタノールやイソプロパノール（ＩＰＡ）などの溶媒、高ｐＨを有する溶液、例えばアルコールと水酸化物（例えば、水酸化ナトリウム）の水溶液との混合物を含む溶液、水酸化ナトリウム溶液など、テトラメチルアンモニウムヒドロキシド（ＴＭＡＨ）を含む溶液、酸性溶液、例えばＰｉｒａｎｈａ（硫酸と過酸化水素の混合物）、並びに硫酸と過マンガン酸カリウムの組合せや、異なるタイプのペルオキシ硫酸又はペルオキソ二硫酸溶液（アンモニア、ナトリウム、及びカリウム塩）などを含む他の酸化剤が挙げられる。
【００５１】
こうして、本発明の態様は、固体対象、例えば医療装置であって、１又は複数のカチオン性ポリマーとアニオン性ポリマーの１又は複数の被膜二重層を含み、最深部の層が、カチオン性ポリマーの層であり、最外層が、抗凝血実体がチオエーテルを含むリンカーを介して共有結合するカチオン性ポリマーの外側被膜層である表面を有する固体対象、例えば医療装置である。
【００５２】
外側被膜層のポリマーは、典型的に、ポリアミンであり、そして外側被膜層は、上に記載される様に、ＥＰ-Ｂ-０４９５８２０に記載される方法、又はこの方法の改変方法を用いて形成されてもよく、ここで当該改変方法では、アニオン性のポリマー、典型的には多糖が、ポリアミンであって、抗凝血実体、又はチオエーテルを含むリンカーを形成できる官能基が結合するところのポリアミンと反応する。
【００５３】
本発明の別の態様は、官能基化されたカチオン性ポリマー外側被膜層を含む表面を有する非血栓形成性の固体対象、特に非血栓形成性の医療装置であり、そうすることで抗凝血実体が、チオエーテルを含むリンカーによって、当該カチオン性ポリマー外側被膜層に結合する。
【００５４】
チオエーテルを形成する多数の方法が存在するが、最も適切な方法は、チオール基を含む第一化合物を、アルケン又はアルキン基を含む第二化合物と反応させる方法である。第一化合物と第二化合物は、各々適宜、外側被膜層を構成するポリマーと、抗凝血実体である。
【００５５】
第二化合物が、アルケンで誘導体化される場合、１の実施態様では、活性型アルケンが用いられる。適切な活性型アルケンの例は、マレイミド誘導体である。
【００５６】
以下に記載するように、場合により、酸化を介した２つのチオール基の所望されないカップリングが起きることを避けるか又は元に戻すために、還元剤、例えばトリス（２-カルボキシエチル）ホスフィンヒドロクロリド、あるいはジチオスレイトール又は水素化ホウ素ナトリウムなどの存在下で反応が行われてもよい。
【００５７】
１の実施態様では、ラジカル開始剤を用いて反応が開始される。ラジカル開始剤の例は、４，４’−アゾビス（４−シアノ吉相酸）である。さらなる例は、過硫酸カリウム、２，２’−アゾビス［２−（２−イミダゾリン−２−イル）プロパン］ジヒドロクロリド及び４−（トリメチルアンモニウムメチル）ベンゾフェノンクロリドである。
【００５８】
別の実施態様では、反応は、ラジカル開始剤で開始されない。その代わりに、高いｐＨ（例えばｐＨ８〜１１）の条件が使用される。このタイプの反応は、活性型アルケン又はアルキンが、チオールと反応するために使用される場合に、より適している。
【００５９】
一般的に、しかしながら、酸条件を使用することが好ましい。なぜなら、これらの条件は、ヘパリンや被膜物質と最も適合するようであるからである。
【００６０】
チオール基を含む第一化合物と、アルキン基を含む第二化合物とのあいだの反応は、以下の反応により示されうる：
【化１】
2020108864.tif 000003
｛式中、Ｒa及びＲbのうちの１つはポリマーであり、そしてＲaとＲbのうちのもう一方は、抗凝血実体である｝
【００６１】
この反応は、実施例１．１（実施例１．１ではＲaはヘパリンであり、Ｒbはポリアミンである）及び実施例１．３（実施例１．３では、Ｒaはポリアミンであり、Ｒbはヘパリンである）に記載されている。この反応は、例えば、還元剤として、トリス（２-カルボキシエチル）ホスフィンヒドロクロリド、そしてラジカル開始剤として４，４’-アゾビス（４−シアノ吉相酸）の存在下で、酸性条件下で行われうる。
【００６２】
過剰量の化合物Ｒa−ＳＨが存在する場合、アルケン二重結合にさらに追加されて、１のＲb基に対して２つのＲa基を含む含む化合物を生成することもある。
【００６３】
これについても、実施例１．１（実施例１．１では、幾つかのリンカーが、１を超える結合されたヘパリン基を有している）及び実施例１．３（実施例１．３では、幾つかのヘパリンが、幾つかのリンカーに結合されている）に示されている。
【００６４】
チオール基を含む第一化合物と、マレイミド基を含む第二化合物とのあいだの反応は、以下に示されうる：
【化２】
2020108864.tif 000004
｛式中、ＲaとＲbのうちの１つがポリマーであり、そしてＲaとＲbのうちのもう一方が、抗凝血実体である｝
【００６５】
この反応は、実施例１．２に詳細に記載されており、実施例２では、Ｒaはヘパリンであり、そしてＲbはポリアミンである。この反応は、一般的に、還元剤として、トリス（２-カルボキシエチル）ホスフィン・ヒドロクロリド、及びラジカル開始剤として４，４’−アゾビス（４-シアノ吉相酸）の存在下、そして酸性条件下で行われる。
【００６６】
本発明の別の態様は、非血栓形成性の固体対象、例えば非血栓形成性医療装置の製造方法であり、当該方法は、以下の：
（ａ）医療装置などの固体対象を処理して、チオール基を有するように官能化されたカチオン性ポリマー外側被膜層を含む表面を提示させ；
（ｂ）チオール基を有するように官能化されたカチオン性ポリマー外側被膜層を、アルケン又はアルキン基を有するように官能化された抗凝血実体と反応させる
を含み、それにより上記抗凝血実体を、チオエーテルを含むリンカーを介してカチオン性ポリマーに結合する。
【００６７】
本発明はまた、この方法により取得可能な固体対象、特に医療装置を提供する。
【００６８】
本発明の別の態様は、非血栓形成性固体対象、例えば非血栓形成性医療装置の製造方法であり、当該方法は以下の：
（ａ）医療装置などの固体対象を処理して、アルケン又はアルキン基を有するように官能化されたカチオン性ポリマー外側被膜層を提示させ；
（ｂ）アルキン基を有するように官能化されたカチオン性ポリマー外側被膜層を、チオール基を有するように官能化された抗凝血実体と反応させる
を含み、それにより上記抗凝血実体を、チオエーテルを含むリンカーを介して上記カチオン性ポリマーに結合する。
【００６９】
本発明はまた、この方法により取得可能な固体対象、特に医療装置を提供する。
【００７０】
本発明の別の態様は、非血栓形成性固体対象、例えば非血栓形成性医療装置の製造方法であり、当該方法は、以下の：
（ａ）医療装置などの固体対象を処理して、カチオン性ポリマー表面層を提示させ；
（ｂ）当該カチオン性ポリマー表面層と、チオエーテルを含むリンカーを介して結合される多重の負荷電抗凝血実体、例えばヘパリン部分を有する官能化カチオン性ポリマーとを結合させる
を含み、ここで当該カチオン性ポリマーが、多重の負荷電抗凝血実体を有し、そして当該官能化カチオン性ポリマーが全体として負荷電を有する。
【００７１】
本発明はまた、この用法により取得可能な固体対象、特に医療装置を提供する。
【００７２】
上に記載されるように、カチオン性ポリマー表面は、固体対象を、高い平均分子量のカチオン性ポリマー、例えばポリアミンで処理し、そして必要に応じてそれを、例えばアルデヒド架橋剤で架橋することにより、調製されてもよい。さらなる層が、場合により、連続工程：
（ｉ）アニオン性ポリマー（例えばアニオン性多糖）の溶液を適用して、当該アニオンポリマーの吸着された層を取得し、そして
（ii）さらにそれを官能化カチオン性ポリマー、例えばポリアミンで処理して、官能化カチオン性ポリマーの吸着された外側被膜層を提供し、ここで上記外側被膜層は、チオール基又はアルケン若しくはアルキン基を有するように官能化されている
により組み立てられてもよい。
【００７３】
典型的に、対象を高い平均分子量のカチオン性ポリマーで処理する第一工程の前に、当該対象の表面を適切な洗浄剤（例えば上で言及されたもの）で洗浄する工程、又は第一層、例えばポリアミン層の接着及び被覆を改善するために本技術分野に知られている表面の他の前処理方法が先行する。
【００７４】
本発明の他の態様は、非血栓形成性の固体対象、例えば非血栓形成性医療装置を製造する方法であり、当該方法が、以下の：
（ａ）固体対象、例えば医療装置を処理して、アニオン性ポリマー表面層を提示させ；
（ｂ）当該アニオン性ポリマー表面層と、チオエーテルを含むリンカーを介して結合している多重の負に荷電した抗凝血実体、例えばヘパリンを有する官能化カチオン性ポリマーとを結合させる
を含み、ここで当該官能化カチオン性ポリマーは、多重の負荷電の抗凝血実体を有し、そして全体として正荷電を有する。
【００７５】
本発明はまた、この方法により取得可能な固体対象、特に医療装置を提供する。
【００７６】
上に記載される様に、アニオン性ポリマー表面層を提示している固体対象は、典型的には、当該対象（例えば医療装置）を、高い平均分子量のカチオン性ポリマー、例えばポリアミンで、場合により架橋剤を伴って処理し、続いて当該ポリアミン表面を、アニオン性ポリマー（例えばアニオン性多糖）の溶液で処理して、アニオン性ポリマーの吸着された外側層を取得することにより調製される。さらなる層は、以下の連続工程：
（ｉ）カチオン性ポリマー（場合により架橋剤を伴って）を適用して、カチオン性ポリマーの吸着された層を提供し、そして
（ii）次にそれを、アニオン性ポリマー（例えばアニオン性多糖）の溶液で処理して、アニオン性ポリマーの吸着された層を取得する
により組み立てられてもよい。
【００７７】
適切なアニオン性ポリマーは、デキストラン硫酸などの多糖、又はその誘導体である。
【００７８】
本明細書において使用される場合、「ポリアミン」は、複数（例えば１０、１００、１０００又はそれより多くの）遊離突出アミノ基を有し、好ましくは少なくとも幾つかの第一級アミノ基を含む分子である。ポリアミンは，典型的には、複数のアミノ基を有し、高い平均分子量、例えば１０3〜１０6Ｄａの平均分子量を有するポリマー分子である。代表的なポリアミンは、ポリエチレンイミン、例えば、ＢＡＳＦから取得可能なＰｏｌｙｍｉｎとして知られているポリエチレンイミンである。
【００７９】
カチオン性のポリマーは、本技術分野において知られている技術を用いて官能化されてもよい。以下の実施例に示されるように、ポリアミン上の一級アミノ基は、アルケン、アルキン又はチオール基の結合点として使用されてもよい。しかしながら、当業者は、ポリアミン上の第二級アミノ基を、アルケン、アルキン、又はチオール基の結合点として用いるための化学反応を適用の仕方をしっているであろう。したがって、ポリアミンは、ポリアミン上の突出第一級アミノ基を、アルケン、アルキン又はチオール基を有する活性化カルボン酸（例えば、カルボン酸のＮ−ヒドロキシスクシンイミド誘導体）と反応させることにより、通常の手段によって、アルケン、アルキン又はチオール基を有するように官能化されてもよい。別の方法は、第二級アミンを、カルボン酸と、カルボジイミド化学反応で反応させるか、又はカルボン酸部分がアルケン、アルキン又はチオール基を有するカルボン酸クロリドで反応させることである。
【００８０】
アルケン、アルキン、又はチオール基を有する抗凝血実体、例えばヘパリンは、それ自体が既知の慣用的な方法により製造されてもよい。例えば、アルキン／アルケン基を有する抗凝血実体、例えばヘパリンは、以下の式：
【化３】
2020108864.tif 000005
｛式中、Ｒ1は、アルキン／アルケン含有基である｝
で表されるアルコキシアミンを、抗凝血実体上のアルデヒド又はヘミアセタール基と、それ自体既知の慣用技術を用いて反応させることにより製造されてもよい。このタイプの反応は、以下の実施例３ｂに示されており；この反応は、オキシ-イミン官能基の形成を介して反応が進んで、以下の式：
【化４】
2020108864.tif 000006
｛式中、Ｒ1が上に定義される通りであり、かつＲ’が抗凝血実体の残基である｝
で表される化合物を与える。
【００８１】
亜硝酸により分解されたヘパリン及び天然ヘパリンは、この方法において結合されうるその還元末端で反応性の基、それぞれアルデヒド基及びヘミアセタール官能基を有している。
【００８２】
同様に、チオール基で誘導化された抗凝血実体は、抗凝血実体上のアルデヒド又はヘミアセタール基を、以下の式：
【化５】
2020108864.tif 000007
｛式中、
Ｘは、炭化水素リンカー、例えば（ＣＨ2）nであり、ここでｎは、１〜８、例えば１〜４であるか、又は
Ｘは、１又は複数（例えば１又は２）のメチレン基がＯにより置換される上で記載された炭化水素リンカーであるか；或いは
Ｘは、１〜１００（例えば、１〜５０、例えば１〜１０）のエチレングリコールユニットを含むＰＥＧ鎖を含む｝
で表される化合物と反応させて、以下の式：
【化６】
2020108864.tif 000008
｛式中、
Ｘは上に定義される通りであり、かつＲ’-ＣＨ2−は、抗凝血実体の残基である｝
で表される生成物を与えることにより形成されてもよい。
【００８３】
このような方法の例は、以下の実施例３ａに与えられている。
【００８４】
適切な官能基は、誘導化抗凝血実体と反応できるように、外側被膜層のポリマーに導入されなければならない。
【００８５】
例えば、以下の：
【化７】
2020108864.tif 000009
｛式中、Ｒ’’は、ポリマー残基である｝
で表される多数の第一級アミン基を有するポリアミンポリマーは、以下の式：
【化８】
2020108864.tif 000010
｛式中、ｎは、１〜８の整数、例えば１〜４である｝
で表される化合物と反応させて、以下の式：
【化９】
2020108864.tif 000011
｛式中、Ｒ’’及びｎは上で定義される通りである｝
で表されるマレイミド官能化ポリアミンを生成してもよい。この反応は、以下の実施例２ａにより詳細に示されている。
【００８６】
或いは、ポリアミンポリマーは、以下の式：
【化１０】
2020108864.tif 000012
｛式中、ｎは１〜８の整数、例えば１〜４である｝
で表される活性化アルキン含有基と反応させて、以下の式：
【化１１】
2020108864.tif 000013
｛式中、Ｒ’’及びｎは上で定義される通りである｝
で表されるアルキン官能化ポリマーを与えてもよい。この反応は、以下の実施例２ｂにおいてより詳細に示されている。
【００８７】
あるいは、ポリマーが、アルケン又はアルキン誘導体化抗凝血実体と反応されることを意図される場合、当該ポリマー-は、チオール基で誘導体化されてもよい。この場合、以下の：
【化１２】
2020108864.tif 000014
｛式中、Ｒ’’は上で定義される通りである｝
で表される多数の第一級アミン基を有するポリアミンポリマーは、活性化チオール含有化合物、例えば以下の式：
【化１３】
2020108864.tif 000015
｛式中、ｎは１〜８の整数、例えば１〜４である｝
で表される化合物と反応されて、以下の式：
【化１４】
2020108864.tif 000016
｛式中、Ｒ’’及びｎは上で定義されたとおりである｝
で表される誘導体化ポリマーを与えうる。この反応は、下記の実施例２ｃにより詳細に示されている。
【００８８】
被膜層が使用される場合、全ての及び任意の固体対象の表面は、哺乳動物血液と相互作用して凝血又は血栓形成を予防することができる抗凝血実体を取り付けることができる官能化された外側表面を提示するように変換される。それゆえ、本明細書に記載される方法の具体的な利点は、一般的にかなり均一の非血栓形成性の表面を作成するという点である（図１を参照のこと）。これは、固体対象が医療装置である場合、特に有用である。
【００８９】
固体対象、例えば医療装置は、金属又は合成の若しくは天然の有機若しくは無機ポリマーを含んでもよい。
【００９０】
こうして、例えば、これは、合成若しくは天然の有機若しくは無機のポリマー又は物質、例えばポリエチレン、ポリプロピレン、ポリアクリレート、ポリカルボネート、ポリアミド、ポリウレタン（ＰＵ）、ポリビニルクロリド（ＰＶＣ）、ポリエーテルケトン（ＰＥＥＫ）、セルロース、シリコーン又はゴム（ポリイソプレン）、プラスチック物質、金属、ガラス、セラミックス、及び他の既知の医療物質、或いはこのような物質の組合せから形成されてもよい。他の適切な基質物質は、フルオロポリマー、例えば延伸ポリテトラフルオロエチレン（ｅＰＴＦＥ）、ポリテトラフルオロエチレン（ＰＴＦＥ）、フッ素化エチレンプロピレン（ＦＥＰ）、過フッ化炭素コポリマー、例えばテトラフルオロエチレン過フルオロアルキルビニルエーテル（ＴＦＥ／ＰＡＶＥ）コポリマー、テトラフルオロエチレン（ＴＦＥ）と過フルオロメチルビニルエーテル（ＰＭＶＥ）とのコポリマー、そしてポリマー鎖とのあいだの架橋を伴うか及び伴わない上記のコポリマーの組合せが挙げられる。
【００９１】
適切な金属としては、ニッケルチタン合金（ニチノール）、ステンレス鋼、チタン、コバルトクロム、金、及び白金が挙げられる。ニチノールとステンレス鋼が好ましい。チタンも好ましい。
【００９２】
本発明の特に適切な実施態様は、被膜された医療装置に関する。
【００９３】
医療装置は、移植可能であるか又は移植不可能であってもよい。移植可能又は移植不可能な医療装置の例としては、カテーテル、ステント、ステント-グラフト、人工血管、血液留置モニター装置、人工心臓弁、ペースメーカー電極、ガイドワイヤー、心肺バイパス回路、カニューレ、バルーン、組織パッチ装置、血液ポンプ、及び体外装置、例えば体外血液処理装置、及び輸血装置が挙げられる。
【００９４】
抗凝血実体（例えば、ヘパリン又は他のヘパリン実体）が結合された被膜表面が、殺菌、例えばエチレンオキシド（ＥＯ）殺菌後に、非血栓形成性を保持するものであることが好ましい。
【００９５】
殺菌は、当業者に周知の手段により行われてもよい。好ましい殺菌方法は、エチレンオキシドガスの使用である。あるいは、他の方法、例えば照射、例えば電子線又はγ線照射は、対象又は被膜、或いはその両方を分解しない場合に使用されてもよい。
【００９６】
本発明の好ましい実施態様は、解剖学的部位に、移植、例えば永久移植、又は他の配置用の被膜された医療装置に関している。他の好ましい実施態様としては、一時的に使用する装置、例えばカテーテル及び体外回路などが挙げられる。例として、解剖学的構造を補強するか、又はボイド間隙を維持するための、ボイド間隙や内腔を区切る解剖学的構造の内部に配置するための滅菌（例えば殺菌済み）医療装置が挙げられる。適切に、結合された抗凝血実体、例えばヘパリン又は他のヘパリン部分は、実質的な程度で溶出することはなく、そして装置にとどまる。例えば、試験前にＮａＣｌ（０．１５Ｍ）で１５時間洗浄した後に、維持されたＡＴ結合活性は、適切に残っており（例えば１、２、４、５、又は１０ｐｍｏｌ／ｃｍ2超）、そして血液ループ評価試験（実施例１．４を参照のこと）において、健常ドナーから得た鮮血で試験した場合、試験後の血小板カウントの低下は、実質的に本発明に記載の被膜表面に晒された血液について、被膜なしの対照におけるカウントの低下に比べて実質的に低い（例えば、被膜表面に晒された血液について試験した後の血小板カウントの低下は、２０％未満、好ましくは１５％未満、そしてより好ましくは１０％未満である）。
【００９７】
適切に、本発明の生体適合性の組成物は、生物分解性又は生物吸収性ではない。生物分解性又は生物溶解性組成物の場合、非血栓形成性は、一般的に時間の点で限られると予測されうる。
【００９８】
本発明の固体対象の非血栓形成性特徴は、多くの方法により試験されうる。例えば、非血栓形成性特徴は、特に未処理の表面を有する固体対象と比較した場合、高いトロンビン結合活性を有することに関与しうる。
【００９９】
例えば、表面１平方ｃｍあたり、少なくとも１、例えば少なくとも５ｐｍｏｌ（ｐｍｏｌ／ｃｍ2）のＡＴとなるアンチトロンビン（ＡＴ）結合活性を有する表面、例えば医療装置の表面が好ましい。別の実施態様では、ＡＴ結合活性は、少なくとも６ｐｍｏｌ／ｃｍ2、少なくとも７ｐｍｏｌ／ｃｍ2、少なくとも８ｐｍｏｌ／ｃｍ2、少なくとも９ｐｍｏｌ／ｃｍ2又は少なくとも１０ｐｍｏｌ／ｃｍ2表面である。幾つかの実施態様では、ＡＴ結合活性は、少なくとも１００ｐｍｏｌ／ｃｍ2表面である。ＡＴ結合活性は、本技術分野に既知の方法、例えばPasche., et al., "Binding of antithrombin to immobilized heparin under varying flow conditions" Artif.-Organs 15:481-491 (1991) 及びUS 2007/0264308に記載の方法により計測することができる。比較として、Sanchez et al (1997) J. Biomed. Mater. Res. 37 (1) 37-42（図１を参照）から、約２．７〜４．８ｐｍｏｌ／ｃｍ2又はそれ以上の（実験設定に左右される）ＡＴ結合値が、血漿と接触した際の血栓形成性酵素活性を有意に上昇させないということが結論付け有られてもよい。
【０１００】
代わりに又は追加的に、実施例１．４に記載される血液ループ評価試験において、凝血及び他の防御システムを抑制する高い能力のため、表面が非血栓形成性であることが好ましい。この試験によると、鮮血で試験する前に、０．１５ＭのＮａＣｌで１５時間洗浄されたＰＶＣチューブに、調査される表面が与えられる。非血栓形成性は、試験後に形成された血液の血小板カウントの低下により示され、血小板カウントは、未処理の対照よりも、本明細書に記載される方法に従って調製された表面に晒された血液において実質的に低い（例えば、被膜された表面に晒された血液について試験後の血小板カウントの低下は、２０％未満、好ましくは１５％未満、そしてより好ましくは１０％未満である）。
【０１０１】
当業者は、血栓形成性／非血栓形成性を評価するために、血液ループモデルとは異なる他の同様の血液評価方法を行うことができる。
【０１０２】
特定の表面領域に結合された抗凝血実体の量は、例えば、組成物の合成において使用される試薬の量を調節することにより制御及び調節することができる。
【０１０３】
表面上への抗凝血実体の分布は、それ自体既知の慣用の染色技術により決定することができ、ヘパリンの分布は、トルイジンブルーを用いて行うことができる。
【０１０４】
本発明によると、本発明者らは、外側被膜層を含む表面を有する固体対象、特に医療装置を製造するための方法を提供し、ここで当該外側被膜層は、ポリマーと、哺乳動物血液と相互作用して凝血又は血栓形成を予防できる抗凝血実体とを含む生体適合性組成物であり、当該抗凝血実体は、チオエーテルを含むリンカーを介して当該ポリマーに共有結合されており、ここで当該方法は、アルケン又はアルキン基を有する抗凝血実体と、チオールを有する対応の表面との反応、又はチオール基を有する対応の抗凝血実体と、アルケン又はアルキン基を有する対応の表面との反応を含む。
【０１０５】
この方法は、それ自体既知の方法を用いて行われてもよい。
【０１０６】
チオール基又はアルケン若しくはアルキン基を有する表面は、それ自体既知の慣用方法により、例えば負に荷電した硫酸基を有する表面、例えばＥＰ−Ｂ−００８６１８６又はＥＰ−Ｂ−００８６１８７に記載される表面を、チオール又はアルケン若しくはアルキン基のいずれかを有する適切なポリアミンとそれぞれ反応させることにより、行われてもよい。
【０１０７】
本発明に従い、本発明者らは、チオエーテルを含むリンカーを介して抗凝血実体を有するポリアミンを提供する。
【０１０８】
本反応が用いられる１の実施態様では、表面はチオール基を有する。本反応が用いられる別の実施態様では、抗凝血実体が、チオール基を有する。
【０１０９】
本反応は、上に簡潔に記載されたように、そして下記の実施例においてより詳細に記載されたように行われてもよい。
【０１１０】
この新たな方法により、抗凝血実体、例えばヘパリンは、表面被膜の組み立てに関与しない表面基により、表面に有利に結合することができる。対照的に、ＥＰ−Ｂ−００８６１８６、ＥＰ−Ｂ−００８６８１７及びＥＰ−Ｂ−０４９５８２０に記載される従来技術は、同じタイプの基（第一級アミン）を層内で、ヘパリンを被膜に結合させるために使用される層表面被膜方法により、使用する。
【０１１１】
この新たな方法は、有利である従来の方法よりもｐＨに対して感受性が低い傾向がある。
【０１１２】
反応はまた、所望される場合、フロー条件下で行われてもよい。
【０１１３】
本発明に従い、本発明者らは、アルケン若しくはアルキン、又はチオール基を有する抗凝血実体、例えばヘパリン又は他のヘパリン部分を提供する。本発明者らは、また、哺乳動物血液と相互作用して、凝血又は血栓形成の予防を可能にする抗凝血実体、例えばヘパリン部分を提供し、ここで抗凝血実体は、アルケン若しくはアルキン、又はチオール基を有し、当該アルケン若しくはアルキン、又はチオール基は、リンカーに結合されており、ここで当該リンカーは、抗凝血実体（例えばヘパリン部分）に末端結合されている。抗凝血実体がヘパリン部分である場合、例えば抗凝血実体は、全長のヘパリン部分（天然ヘパリン）であってもよい。
【０１１４】
本発明に従い、本発明者らは、官能化ポリアミン表面、例えばＥＰ−Ｂ−００８６１８６、ＥＰ−Ｂ−００８６１８７、及びＥＰ−Ｂ−０４９５８２０に記載されるように本質的に調製されるが、追加的にポリアミンの外側被膜層上に、１以上のチオール又は１以上のアルケン若しくはアルキン基を有する表面、を提供する。
【０１１５】
本発明に従い、本発明者らは、チオール、又はアルケン若しくはアルキン基、例えば、リンカー基を介してポリアミン表面のアミノ基に結合されたチオール、又はアルケン若しくはアルキン基、を有するポリアミン表面を有する、固体対象、例えば医療装置を提供する。
【０１１６】
本発明のさらなる特徴に従い、本発明者らは、外側被膜層を含む表面を有する固体対象、特に医療装置を製造する方法であって、当該外側被膜層が、ポリマーと、哺乳動物血液と相互作用して凝血又は血栓形成を妨げる抗凝血実体とを含み、当該抗凝血実体が、チオエーテルを含むリンカーを介して当該ポリマーに共有結合しており、ここで当該対象は、多糖及びポリアミンの１又は複数の層を含む表面を有しており、当該方法は、全体として負の荷電を有する多糖（つまり、アニオン性多糖、例えば、負に荷電した硫酸基を有する）の外側層を有する対応する表面を、全体として正の荷電を有する、チオエーテルを含むリンカーを介して対応する抗凝血実体を有するポリアミンと反応させること、或いは全体として負の荷電を有する多糖（つまり、アニオン性多糖、例えば負に荷電した硫酸基を有する）を、全体として正の荷電を有するチオール、又はアルケン若しくはアルキン基を有するポリアミンと反応させ、そして得られた産物を、アルケン若しくはアルキン基、又はチオール基を有する抗凝血実体と反応させることを含む、方法を提供する。
【０１１７】
抗凝血実体、又はチオール、アルケン若しくはアルキン基を有するポリアミンへの言及は、１又はそれ以上の、つまり複数のかかる基を有するポリアミンへの言及を含む。しかしながら、全体として正の荷電を有するチオエーテルを含むリンカーを介して対応する抗凝血実体を有するポリアミンは、全体としての荷電が全体として正のままであることを許容する限りの多くの負に荷電した抗凝血実体を有するであろう。
【０１１８】
本発明のさらなる特徴によると、本発明者らは、外側被膜層を含む表面を有する固体対象、例えば医療装置を製造する方法であって、当該外側被膜層が、ポリマーと、哺乳動物血液と相互作用して凝血又は血栓形成を予防することができる抗凝血実体とを含む生体適合性組成物であり、当該抗凝血実体が、チオエーテルを含むリンカーを介して、当該ポリマーに共有結合しており、ここで対象が、多糖（つまり、アニオン性多糖、例えば負に荷電した硫酸基を有する）とポリアミンの１又は複数の層を含む表面を有しており、当該方法が、全体として正の荷電を有するポリアミンの外側層を有する対応の表面と、チオエーテルを含むリンカーを介して対応する多重の抗凝血実体を有することにより、全体として負の荷電を有するようにされたポリアミンとを、反応させることを含む、方法を提供する。
【０１１９】
多糖とポリアミンの層を配置する方法は、それ自体既知の方法、例えばEP-B-0495820に記載される方法と同様の方法を用いて行われてもよい。
【０１２０】
表面上において全体として正の荷電が存在することについては、正荷電表面を赤色に染めるPonceauSで処理することにより決定されてもよい。表面上において全体として負の荷電が存在することについては、負に荷電した表面を青色に染めるトルイジンブルーで処理することにより決定されてもよい。
【０１２１】
本発明に従い、本発明者らは、官能化されたポリアミン、例えば、リンカーを介して、１又は複数のチオール、又は１若しくは複数のアルケン、又は１又は複数のアルキンを有するポリミン（Ｐｏｌｙｍｉｎ）を提供する。
【０１２２】
本発明に従い、本発明者らは、チオエーテルを含むリンカーを介して結合された抗凝血実体を有する官能化ポリアミンを提供する。このポリアミンは、それ自体既知の方法、例えば本明細書の至る所に記載される方法に類似の方法により製造されてもよい。
【０１２３】
本発明の製品は、以下の有利な性質のうちの１つ又は複数を有していてもよい：
表面上の抗凝血実体の置換の程度が制御できる；
抗凝血実体、例えばヘパリンを、両方の末端（１の点）結合、及び複数の点での結合することが達成できるが、末端（特に還元末端）結合が好ましい；
抗凝血実体と表面との間のリンカーの長さを制御できる；
全長のヘパリンが使用でき、ヘパリン切断、及び従来技術におけるヘパリンの硝酸分解により生じる切断産物の一部の浪費を避けることができる；
ヘパリンを切断する場合、幾つかのフラグメントにおいて、アンチトロンビン結合配列を破壊でき、その結果スペーサーを介して結合された全長ヘパリン又はヘパリンを使用することは、結合されたヘパリンの生態利用能を改善することができる；
表面における抗凝血実体の均一な分布を得ることができる；
製品の材料にかかわらず、装置に固有の性質、例えば低い血栓形成性をマスクする均一の被膜を得ることができる；
比較的滑らかな被膜を得ることができる；
被膜の生体適合性が向上することができる；
本発明の被膜が、全身ヘパリン処理に対する必要性を低下し、そして接触活性化の可能性を低下することができる；
抗凝血実体の生体適合性を、例えば異なるリンカー（長さ、タイプ）を用いることにより制御することができる；
ヘパリンを浸出させず、そうして長期間の寿命を有する非血栓形成性表面を得ることができる；
生物分子に対する改善した結合能力を有する分析又は分離装置を得ることができる；そして
延長されたヘパリン活性寿命を有する分析又は分離装置を得ることができる。
【０１２４】
本発明の他の態様は、哺乳動物血液と相互作用して、凝血又は血栓形成を妨げることができる抗凝血実体を含む、生体適合性組成物を含み、当該抗凝血実体は、チオエーテルを含むリンカーを介して表面に共有結合する。
【０１２５】
生体適合性組成物が、任意の固体対象、ここで固体対象中で医療装置は単に一例に過ぎない、に適用されうることを当業者は理解するであろう。
【０１２６】
本発明は、以下の実施例により例示されるが、いかようにも制限されるものではない。
【実施例】
【０１２７】
実施例１．１：ＰＶＣ上への非血栓形成性表面の調製
官能化されたアミノ化ポリマー外側層を有する、アミノ化ポリマーと、硫酸化多糖の層を含む表面は、官能化ヘパリンに結合されて、それによりチオエーテルを形成する。
【０１２８】
ＰＶＣ表面を、ＥＰ−Ｂ−００８６１８６及びＥＰ４９５８２０のＬａｒｍらにより記載された方法（レイヤーバイレイヤー；多価電解質荷電相互作用）を用い、硫酸化された多糖の層で終わることにより調製した。
【０１２９】
ＰＶＣチューブ（Ｉ．Ｄ．３ｍｍ）の内腔表面を、イソプロパノール及び酸化剤で洗浄した。正に荷電したポリアミン（Ｐｏｌｙｍｉｎ）と負に荷電した硫酸化多糖（デキストラン硫酸）の交互の吸着により、下地（priming）を組み立てた。ポリアミンを二官能化アルデヒド（クロトンアルデヒド）で架橋する。ポリアミンと硫酸化多糖の全ての対は、１の二重層と呼ぶ。ＰＶＣ表面を、４の二重層で下地を作り、硫酸化多糖で終えた。
【０１３０】
ＰｏｌｙｍｉｎＳＮ（Ｌｕｐａｓｏｌ  ＳＮ；Ｌｕｐａｓｏｌは、Ｐｏｌｙｍｉｎの代わりの商標名である）を、水で希釈して、ストック溶液を調製した（５ｇのＰｏｌｙｍｉｎＳＮを、２０ｍｌの精製水に加えた）（Ｐｏｌｙｍｉｎは、ＢＡＳＦから利用できるポリエチレンイミンカチオン性テンシド（tenside）である）。
【０１３１】
１．０ｍｌの５％アルキン官能化ポリアミン（調整方法については実施例２ｂを参照のこと）を５００ｍｌの０．０４Ｍ／０．０４Ｍ  ホウ酸／硫酸緩衝液（ｐＨ８．０）に加えた。アルキン官能化ポリアミンの硫酸表面への吸着を、室温で２０分間行った。吸着後に、２分間水で洗浄を行い、過剰量のポリマーを洗い流した。
【０１３２】
還元末端のＣ１でチオール官能化された５００ｍｇの硝酸分解ヘパリン（実施例３ａと同様に調製される）を１０００ｍｌの脱イオン水中に溶解し、そして５０ｍｇのトリス（２-カルボキシエチル）ホスフィンヒドロクロリド、５００ｍｇの４，４’-アゾビス（４−シアノ吉相酸）、及び２．９ｇのＮａＣｌを加えた。１Ｍ Ｈｃｌ（aq.）でｐＨを３．７に調製した。
【０１３３】
チオール官能化ヘパリンの溶液と、アルキン官能化表面とのあいだの反応を、７０℃で３時間行った。０．０４Ｍ／０．０４Ｍホウ酸／リン酸緩衝液（ｐＨ８.０）を用いて、共有結合されていないヘパリンを１０分間洗い流すことにより精製を行った。脱イオン水で２分間最終洗浄を行って、緩衝塩の残りを洗い流した。
【０１３４】
全ての工程で用いられた流速は、１００ｍｌ／分であった。
【０１３５】
【化１５】
2020108864.tif 000017
【０１３６】
サンプルを、トルイジンブルー（ＴＢ）（２００ｍｌ／Ｌ水）の溶液に２分間浸漬し、続いて過剰量の水で洗い流すことによりトルイジンブルーで染色した。ＴＢは、イオン性相互作用を介してヘパリンに結合する。サンプルは、強い均一なＴＢ染色を示した。図１を参照のこと。
【０１３７】
結合されたヘパリンのアンチトロンビン結合活性：２．２ｐmol/cm2
【０１３８】
結合されたヘパリンのアンチトロンビン結合活性を、Pasche., et al., in “Binding of antithrombin to immobilized heparin under varying flow conditions” Artif. Organs 15:481-491 (1991)に記載する様に原則的に計測した。
【０１３９】
非血栓形成性を、血液ループにより試験した。実施例１．４を参照のこと。
【０１４０】
実施例１．２：ＰＶＣ上の非血栓形成性表面の調製
ＰＶＣチューブ（内径３ｍｍ）の内腔表面を、イソプロパノール及び酸化剤で洗浄した。これを次に、正に荷電したポリアミン（Ｐｏｌｙｍｉｎ）と負に荷電した硫酸化多糖（デキストラン硫酸）からなる４の二重層で下地を作り、そし硫酸化多糖で終えた。
【０１４１】
そして次の被膜工程は、１０ｍｌの１％マレイミド官能化ポリアミン（実施例２ａで調製される）の溶液を溶解した１０００ｍｌの０．０４Ｍ／０．０４Ｍホウ酸／リン酸緩衝液（ｐＨ８．０）を用いた。マレイミド官能化ポリアミンの硫酸表面への吸着を、室温で２０分間行った。吸着後に、２分の水洗浄を行って過剰量のポリマーを洗い流した。
【０１４２】
５００ｍｇの還元末端のＣ１でチオール官能化を行った５００ｍｇの硝酸分解ヘパリン（実施例３ａに記載されるように調製）を、１０００ｍｌの脱イオン水中に溶解し、そして５０ｍｇのトリス（２-カルボキシエチル）ホスフィンヒドロクロリド、５００ｍｇの４，４’-アゾビス（４−シアノ吉相酸）、及び２.９ｇのＮａＣｌを加えた。１ＭのＨＣｌ（aq）でｐＨを３．７に調製した。
【０１４３】
チオール官能化ヘパリンとマレイミド官能化表面の間の反応を、７０℃で３時間行った。０．０４Ｍ／０．０４Ｍホウ酸／リン酸緩衝液（ｐＨ８．０）を用いて、共有結合されないヘパリンを洗い流すことにより精製を行った。２分間脱イオン水で最終洗浄を行って、緩衝塩の残りを洗い流した。
【０１４４】
全ての工程で用いられた流速は１００ｍｌ／分であった。
【化１６】
2020108864.tif 000018
【０１４５】
Ｔｂを用いた染色（実施例１．１に記載される）は、被膜後の強い均一な染色を示した。図１を参照のこと。
結合されたヘパリンの安置トロンビン結合活性：８．０pmol/cm2
血液ループにより試験されるように非血栓形成性である。実施例１．４を参照のこと。
【０１４６】
実施例１．３：ＰＶＣ上の非血栓形成性表面の調製
ＰＶＣチューブ（内径３ｍｍ）の内腔表面を、イソプロパノール及び酸化剤で洗浄した。これを、正に荷電したポリアミン（Ｐｏｌｙｍｉｎ）と負に荷電した硫酸化多糖（デキストラン硫酸）の４の二重層で下地を作り、硫酸化多糖で終えた。
【０１４７】
そして次の被膜工程は、５ｍｌの１％チオール官能化ポリアミン（実施例２ｃに記載されるように調製）及び１２５ｍｇのトリス（２−カルボキシエチル）ホスフィンヒドロクロリドを溶解した５００ｍｌの０．０４Ｍ／０．０４Ｍホウ酸／リン酸緩衝液（ｐＨ８．０）の溶液を用いた。チオール官能化ポリアミンを硫酸表面への吸着は、室温で２０分間行った。吸着後に、２分間の水洗浄を行って、過剰量のポリマーを洗い流した。
【０１４８】
還元末端（実施例３ｂに記載されるように調製）のＣ１で、アルキン官能基を有する２５０ｍｇの硝酸分解ヘパリンを、５００ｍｌの脱イオン水に溶解し、そして２５ｍｇのトリス（２-カルボキシエチル）ホスフィンヒドロクロリド、２５０ｍｇの４，４’−アゾビス（４-シアノ吉相酸）、及び１．４ｇのＮａＣｌを加えた。１Ｍ  ＨＣｌ（aq）でｐＨを３．７に調節した。
【０１４９】
アルキン官能化ヘパリンの溶液とチオール官能化表面との間の反応を、７０℃で３時間行った。共有結合されていないヘパリンを、ｐＨ８．０で０．０４Ｍ／０．０４Ｍホウ酸／リン酸緩衝液を用いて１０分間洗い流すことにより、精製を行った。２分間の脱イオン水での最終的な洗浄を行って、緩衝塩の残りを洗い流した。
【０１５０】
全ての工程の間に使用された流速は、１００ｍｌ／分であった。
【０１５１】
【化１７】
2020108864.tif 000019
Ｔｂでの染色（実施例１．１に記載される通り）は、被膜後の強い均一な染色を示した。図１を参照のこと。
結合されたヘパリンのアンチトロンビン結合活性：１．０pmol/cm2
血液ループにより試験された非トロンビン形成性：実施例１．４を参照のこと。
【０１５２】
実施例１．４：血液ループ評価試験
実施例１．１〜１．３から得た内腔が被膜されたＰＶＣチューブについて血液ループ評価を行い、非血栓形成性表面の保存されたヘパリン生物活性を示した。第一に、被膜チューブの内腔側を、０．１５ＭのＮａＣｌで１５時間、１ｍｌ／分の流速で洗浄して、緩く結合したヘパリンを洗い流し、そして安定な表面が残ることを保証した。次に、洗浄されたチューブを、Anderson et al. (Andersson, J.; Sanchez, J.; Ekdahl, K. N.; Elgue, G.; Nilsson, B.; Larsson, R. J Biomed Mater Res A 2003, 67(2), 458-466)に本質的に従って行われた２０ｒｐｍでのＣｈａｎｄｌｅｒループモデル内でインキュベートした。鮮血からの血小板と、ループから回収された血からの血小板をセルカウンターで計数して、血栓形成を意味する血小板の消失を計測した。参照として、非血栓形成性の対照（つまり、ＰＶＣに適用されたCermeda（登録商標）BioActive Surface，これはＥＰ−Ｂ−０４９５８２０に記載される通りに原則的に調製された）、被膜無しＰＶＣチューブ、及び血栓形成性対照（つまり、アンチトロンビンを結合していない、硫酸化多糖の外側層を伴う、３の二重層被膜）を含んだ。
【０１５３】
以下の表に見られるとおり、実施例１．１〜１．３に記載されるように調製された被膜について実質的に血小板の低下はなかった（血小板の低下は、血栓形成を指す）。被膜されていないＰＶＣチューブ及び硫酸化多糖の外側層を有する表面（アンチトロンビンに結合されていない）は、実験において有意に血小板を低下させた。
【０１５４】
【表１】
2020108864.tif 000020
【０１５５】
この結果は、本発明に従って調製された表面の非血栓形成性を示す。
【０１５６】
実施例２ａ：ＰｏｌｙｍｉｎＳＮのマレイミド官能化
【化１８】
2020108864.tif 000021
【０１５７】
ＰｏｌｙｍｉｎＳＮ（ＬｕｐａｓｏｌＳＮ；Ｌｕｐａｓｏｌは、Ｐｏｌｙｍｉｎの代わりの商標名である）を水で希釈してストック溶液を調製した（５ｇのＰｏｌｙｍｉｎＳＮを、２０ｍｌの精製水に加えた）。（Ｐｏｌｙｍｉｎは、ＢＡＳＦから取得できるポリエチレンイミンカチオン性テンシドである）。
【０１５８】
４-マレイミド酪酸（０．５０ｇ、２．７ｍｍｏｌ）及びＮ-ヒドロキシスクシンイミド（ＮＨＳ）（０．３２ｇ、２．７ｍｍｏｌ）を３ｍｌのジクロロメタンに溶解し、そして０℃で撹拌した。Ｎ，Ｎ’-ジシクロヘキシルカルボジイミド（０．５６ｇ、２．７mmol）をいれた３ｍｌのジクロロメタンの溶液を、０℃で反応混合液にゆっくり加えた。反応混合液を一晩撹拌し、そして複製生物を濾別し、そしてＮＨＳ活性化４−マレイミド酪酸を濃縮し、そして吸引下で乾燥した。
【０１５９】
乾燥したＮＨＳ活性化４-マレイミド酪酸を３０ｍｌの純粋に溶解し、そして７．６ｍｌのＰｏｌｙｍｉｎＳＮストック溶液と、０℃で混合し、そして一晩室温で反応させて、マレイミド官能化Ｐｏｌｙｍｉｎの１％溶液を得た。
【０１６０】
実施例２ｂ：ＰｏｌｙｍｉｎＳＮのアルキン官能化
【化１９】
2020108864.tif 000022
【０１６１】
Ｎ−ヒドロキシスクシンイミド-（４−ペンチノエート）（Ｒｅｆ：Ｓａｍａｉｎ，Ｍ．；Ｖｅｓｓｉｅｒｅｓ，Ａ．；Ｂｕｔｌｅｒ，Ｉ．Ｓ．；Ｊａｏｕｅｎ，Ｇ．Ｂｉｏｃｏｎｊｕｇａｔｅ  Ｃｈｅｍｉｓｔｒｙ  １９９１，２（１），１３−１５）（３．９０ｇ、１９．０mmol）を入れた２０ｍｌの精製水の溶液を、２４ｍｌのPolyminSNストック溶液（実施例２ａを参照のこと）と混合し、そして一晩７０℃で反応させた。反応混合液を、次に水及びイソプロパノール（min９９％、PhEur  quality, Merck）でポリマーが沈殿するまで希釈した。イソプロパノールをデカンタで取り除き、そして得られたスラリーの残存イソプロパノールを蒸発させて取り除いた。
【０１６２】
実施例２ｃ：ＰｏｌｙｍｉｎＳＮのチオール官能化
【化２０】
2020108864.tif 000023
３−メルカプトプロピオン酸（１．００ｇ、９．４mmol）及びＮ-ヒドロキシスクシンイミド（ＮＨＳ）（１．０９ｇ、９．４mmol）を、１ｍｌのジクロロメタン中に溶解し、そして０℃で、不活性雰囲気下（Ar）で撹拌した。N,N'-ジシクロヘキシルカルボジイミド（１．９４ｇ、９．４mmol）をいれた１０ｍｌのジクロロメタンの溶液を、０℃で反応混合液にゆっくり加えた。反応混合液を、室温にて不活性雰囲気下（Ar）で一晩撹拌し、そして副産物を露別し、そしてNHS活性化３-メルカプトプロピオン酸を濃縮し、そして吸引下で乾燥した。
【０１６３】
乾燥したNHS活性化３-メルカプトプロピオン酸を１１５ｍｌの精製水中に溶解し、そして２８．６ｍｌのPolyminSNストック溶液（実施例２ａを参照のこと）と、０℃で混合し、そして不活性雰囲気下（Ar）で室温にて一晩反応させて、チオール官能化Polyminの１％溶液を得た。
【０１６４】
実施例３ａ：チオール官能化硝酸分解ヘパリンの調製
【化２１】
2020108864.tif 000024
アルデヒド基を有する硝酸分解ヘパリン（本質的に、USP4,613,665の実施例２の通りに調製）（５．００ｇ、１．０ＭＭＯＬ）、システアミンヒドロクロリド（０．５７ｇ、５．０ｍｍｏｌ）、及び塩化ナトリウム（０．６ｇ）を精製水中に溶解した。１ＭのＮａＯＨ（Ａｑ）及び１ＭのＨＣｌ（aq）で、ｐＨを６．０に調節した。当該溶液に、３．１ｍｌの５％（aq）ＮａＣＮＢＨ３（０．１６ｇ、２．５mmol）を加え、そして反応液を一晩室温で撹拌した。１MＮａＯＨ（aq）でｐＨを１１．０に調節し、そして反応産物を、ＳｐｅｃｔｒａＰｏｒ透析膜ｍｗｃo１ｋＤ（フラット幅４５ｍｍ）を用いて精製水に対して３日間透析を行った。反応混合液を濃縮し、凍結乾燥して、２．６Ｇの白色綿毛状粉末を得た。
【０１６５】
実施例３ｂ：アルキン官能化硝酸分解ヘパリンの調製
【化２２】
2020108864.tif 000025
試薬：
（ｉ）  アルデヒド基を備える硝酸分解ヘパリン（ＵＳ４，６１３，６６５の実施例２の通りに実質的に調製）３．２５ｇ（乾燥重量）（０．６５ｍｍｏｌ）
（ｉｉ）  Ｏ−（プロパ−２−イニル）−ヒドロキシルアミンヒドロクロリド（Ｒｅｆ：Xu, R.; Sim, M.K.; Go, M.L., Synthesis and pharmacological characterization of O-alkynyloximes of tropione and N-methylpiperadinone as muscarinic agonists. J Med Chem 1998, 41, (17), 3220-3231）0.70g dry weight (6.5mmol)
（ｉｉｉ）  酢酸（１００％Ｍｅｒｃｋ）３ｍｌ
（ｉｖ）  精製水５０ｍｌ
【０１６６】
化合物を、混合溶媒に溶解し、そして４ＭのＮａＯＨでｐＨを４．５に調節した。反応を室温で３日間続けた。得られた生成物を、ＳｐｅｃｔｒａＰｏｒ透析膜ｍｗｃｏ  １ｋＤ（フラット幅４５ｍｍ）で純水に対して透析した。
【０１６７】
官能化生成物をＦＴＩＲにより分析し、３１００ｃｍ-1にてアルキン由来の典型的なシグナルを示した。
【０１６８】
官能化ヘパリンの活性は、９６ＩＵ／ｍｇであり、これは官能化ヘパリンの活性が、官能化により実質的に影響を受けていないことを示す。
【０１６９】
実施例３ｃ：アルキン官能化天然ヘパリンの調製
【化２３】
2020108864.tif 000026
天然ヘパリン（ＳＰＬ、Ｓｃｉｅｎｔｉｆｉｃ Protein Laboratories, lot no. 1037）を、実施例３ｂに記載される方法に従って官能化した。
官能化ヘパリンの活性は、２１１ＩＵ／ｍｇであり、これは官能化されたヘパリンの活性が、官能化により実質的に影響を受けていないことを示す。
【０１７０】
実施例３ｄ：芳香族スペーサーを有するアルキン官能化天然ヘパリンの調製
【化２４】
2020108864.tif 000027
天然ヘパリン（ＳＰＬ、Ｓｃｉｅｎｔｉｆｉｃ Protein Laboratories, lot no. 1037）（２０ｍｇ）を２５０μｌ酢酸（１００％Ｍｅｒｃｋ）に溶解し、そして２５０μｌの精製水中に溶解し、そしてストック溶液（以下の実施例５を参照のこと）から６μｌのＮ−（４−（２−（アミノキシ）エチル）フェニル）ペンタ−４−インアミドを加えた。反応を室温で１６時間行った。反応生成物を濃縮し、そしてトルエンで共沸して（３×２ｍｌ）、黄みがかった固体を与えた（〜２０ｍｇ）。
【０１７１】
中間体の調製
実施例５：二機能性リンカー
５ａ）Ｎ−（４−（２−（ヒドロキシ）エチル）フェニル）ペンタ−４−インアミド
Ｎ−ヒドロキシスクシンイミド−（４−ペンチノエート）（Ｒｅｆ：Malkoch, M.; Schleicher, K.; Drockenmuller, E.; Hawker, C. J.; Russell, T.P.; Wu, P.; Fokin, V.V., Structurally Diverse Dendritic Libraries; A Highly Efficient Functionalization Approach Using Click Chemistry. Macromolecules 2005, 38, (9), 3663-3678.）（２００ｍｇ、１．０ｍｍｏｌ）及びｐ−アミノフェニルエタノール（１２５ｍｇ、０．９mmol）を、トリエチルアミン（１４０μｌ、１．０mmol）及び５滴のジメチルホルムアミドを伴う２ｍｌのジクロロメタン中に溶解した。反応混合液を室温で２時間攪拌した。組成反応生成物を濃縮し、１０ｍｌの酢酸エチル中に溶解し、そして５ｍｌの水、続いて５ｍｌの０．５Ｍ・ＨＣｌ（ａｑ．）、５ｍｌの１０  ＮａＨＣＯ3（ａｑ）及び最終的に５ｍｌの水で洗浄した。有機相をＭｇＳＯ４で乾燥し、ろ過し、そして溶媒を蒸発させた。生成物をさらにシリカゲルでのカラムクロマトグラフィーで、トルエン（Ｔ）と酢酸エチル（Ｅ）の勾配４：１〜１：２（Ｔ：Ｅ）で溶出することによりさらに精製した。生成物Ｎ−（４−（２−（ヒドロキシ）エチル）フェニル）ペンタ−４−インアミドを、ＮＭＲとＭＡＬＤＩ−ＴＯＦにより特徴決定した。
【０１７２】
５ｂ）Ｎ−（４−（２−（メタンスルホナート）エチル）フェニル）ペンタ−４−インアミド
Ｎ−（４−（２−（ヒドロキシ）エチル）フェニル）ペンタ−４−インアミド（２１０ｍｇ、１．０ｍｍｏｌ）を、４ｍｌのピリジンに溶解した。メタンスルホニルクロリド（ＭｓＣｌ）（１００μｌ、１．３ｍｍｏｌ）を０℃で加えた。攪拌した反応物を、室温に戻し、そして室温で５分間反応させた。溶媒を蒸発させ、そして残渣を１０ｍｌの酢酸エチルに再溶解させ、そして５ｍｌの水、次に５ｍｌの０．１Ｍ・ＨＣｌ（aq.）、最後に５ｍｌの水で洗浄した。有機相をＭｇＳＯ４で乾燥し、ろ過し、そして溶媒を蒸発させて、生成物Ｎ−（４−（２−（メタンスルホナート）エチル）フェニル）ペンタ−４−インアミドを生成した。
【０１７３】
５ｃ）Ｎ−（４−（２−（Ｎ−オキシフタルイミド）エチル）フェニル）ペンタ−４−インアミド
Ｎ−（４−（２−（メタンスルホナート）エチル）フェニル）ペンタ−４−インアミドを、６ｍｌのアセトニトリルに溶解し、そしてＮ−ヒドロキシフタルイミド（２００ｍｇ、０．９ｍｍｏｌ）及びトリエチルアミン（２５０μｌ、１．８ｍｍｏｌ）をいれた２ｍｌのアセトニトリルの溶液に加えた。反応混合液を、５０℃で２日間攪拌した。反応混合液をつぎに４０ｍｌの酢酸エチルで希釈し、そして２０ｍｌの０．５Ｍ ＨＣｌ（aq.）で洗浄し、５×３０ｍｌの１０  ＮａＨＣＯ３（aq）で洗浄して赤色を取り除き、そして最終的に５ｍｌの水で洗浄した。有機相をＭｇＳＯ４で乾燥し、ろ過し、そして溶媒を蒸発させた。粗製生成物を１０ｍｌのトルエンで再結晶して、Ｎ−（４−（２−（Ｎ−オキシフタルイミド）エチル）フェニル）ペンタ−４−インアミドを取得し、これをＮＭＲ及びＭＡＬＤＩ−ＴＯＦにより特徴決定した。
【０１７４】
５ｄ）Ｎ−（４−（２−（アミノキシ）エチル）フェニル）ペンタ−４−インアミド
Ｎ−（４−（２−（Ｎ−オキシフタルイミド）エチル）フェニル）ペンタ−４−インアミド（２０ｍｇ、５．５μmol）及びエチレンジアミン（２００μｌ、３．０mmol）を２ｍｌのエタノールに溶解した。反応液を７５℃で２時間攪拌した。溶媒を蒸発させ、そして粗製生成物を、シリカゲルでのカラムクロマトグラフィーで、トルエン（Ｔ）と酢酸エチル（Ｅ）の勾配２：１〜１：３（Ｔ：Ｅ）を用いて精製した。生成物Ｎ−（４−（２−（アミノキシ）エチル）フェニル）ペンタ−４−インアミドを、ＮＭＲ及びＭＡＬＤＩ−ＴＯＦにより特徴決定した。
【化２５】
2020108864.tif 000028
【０１７５】
ストック溶液の調製：
Ｎ−（４−（２−（アミノキシ）エチル）フェニル）ペンタ−４−インアミド（２．５ｍｇ）を計量フラスコに配置し、そしてアセトニトリル（１０００μｌ）を加えてリンカーを溶解させた。
【０１７６】
明細書及び添付の特許請求の範囲をとおい、文脈上他の意味に介すべき場合を除き、「含む（comprise）」という単語、及びその変化型、例えば「comprisies」や「comprising」は、言及された整数、工程、整数群、又は工程群が包含されることを意味するが、他の整数、工程、整数群、又は工程群が除外されることを意味するものではないことが理解されよう。
【０１７７】
本発明の明細書を通して言及された全ての特許及び特許出願は、その全てを本明細書に援用する。
【０１７８】
本発明は、好ましいかより好ましい群、及び適切、より適切な群、及び上記の実施態様の群の全ての組合せを包含する。
【図１】
2020108864.tif 000029